(57)【特許請求の範囲】
【請求項１】
時計本体と、
前記時計本体における裏面側に収容された受電部と、
軟磁性材料を含んで構成されるバイパス部材と、
前記時計本体に取り付けられるとともに前記バイパス部材が埋設され、充電装置からの充電が行われる際に前記受電部と前記充電装置との間に前記バイパス部材を配置可能とする付属部材と、を備え、
前記付属部材は、前記時計本体における裏面側に引き通され、前記時計本体の裏側に前記バイパス部材が埋設された引き通しバンドである携帯時計。
【請求項２】
前記付属部材は、前記時計本体に設けられたかんである請求項１に記載の携帯時計。
【請求項３】
前記受電部は、前記時計本体における前記充電装置に対向する対向面に沿った面上に設けられ、中央に開口部が形成された受電コイルを備えており、
前記付属部材は、前記充電装置からの充電が行われる際に、前記対向面に直交する軸方向に見て前記バイパス部材と前記受電部とが重ならない位置に配置可能とする請求項１または２に記載の携帯時計。
【請求項４】
前記付属部材は、前記受電コイルにおける中央に形成された開口部および前記受電コイルの外縁部に、前記バイパス部材を配置可能とする請求項３に記載の携帯時計。
【発明の詳細な説明】
【技術分野】
【０００１】
本発明は、携帯時計に関する。
【背景技術】
【０００２】
腕時計や懐中時計などの携帯時計、ストップウオッチ、携帯電話、携帯型情報端末機などの携帯機器においては、充電器を配線によって直接接続せずに、例えば電磁誘導を利用した非接触充電方式が広まりつつある。非接触充電方式では、非接触用の充電器に設けられた給電コイルと、携帯機器の筐体内に設けられた受電コイルとを利用している。
【０００３】
このような非接触充電方式に用いられる充電器は、例えば給電コイルとカバープレートとを備えている。また、携帯機器は、例えば筐体内に受電コイルを内蔵している。充電器の給電コイルに通電した状態で、カバープレートに携帯機器を近接させると、給電コイルと受電コイルとの間で電磁誘導が生じ、受電コイル側に電力（誘導起電力）が発生する。携帯機器においては、受電コイルで発生した電力により、携帯機器に内蔵された蓄電池に対して充電が行われる。
【０００４】
非接触充電方式によって充電を行うにあたっては、給電コイルと受電コイルとを近接させることが好適である。充電効率を高めた電子機器（充電器）として、従来、特許文献１に開示された電子機器がある。この電子機器は、第２のコイル（給電コイル）を備えており、第２のコイルは、腕時計（携帯機器）の時計本体部の水平方向に延在するバンド部に設けられた第１のコイル（受電コイル）と磁気結合する。また、この電子機器は、腕時計のバンド部を位置決めする位置決め凹部を備えており、腕時計に設けられたコンデンサに充電するには、位置決め凹部にてバンド部を位置決めして、第１のコイルと第２のコイルとを近接させた状態で充電を行っている。
【先行技術文献】
【特許文献】
【０００５】
【特許文献１】特開２０１１−１６０５０１号公報
【発明の概要】
【発明が解決しようとする課題】
【０００６】
ところで、近年においては、自宅など一定の充電場所以外の場所に充電器が設置されていることがあり、充電器としても様々なものが設置されている。このため、様々な充電器で充電したとしても充電効率を高めることができる携帯機器が求められている。ところが、上記特許文献１に開示された電子機器では、電子機器における位置決め凹部に対して腕時計に取り付けられたバンドを位置決めして腕時計のコンデンサに充電している。このため、コンデンサに対して効率の高い充電を行うには、当該腕時計に応じた電子機器を用いることが求められる。したがって、この腕時計では、様々な充電器を用いた場合には受電コイルと給電コイルを近接させることが難しく、充電効率を高めるのが難しかった。
【０００７】
そこで、本発明が解決しようとする課題は、様々な充電器を用いて充電する場合でも非接触充電における充電効率を高めることができる携帯機器及び携帯時計を提供することである。
【課題を解決するための手段】
【０００８】
本発明に係る携帯機器は、ケースと、前記ケースに収容された受電部と、軟磁性材料を含んで構成されるバイパス部材と、前記ケースに設けられるとともに前記バイパス部材が埋設され、充電装置からの充電が行われる際に前記受電部と前記充電装置との間に前記バイパス部材を配置可能とする付属部材と、を備えることを特徴とする。
【０００９】
バイパス部材に含まれる軟磁性材料は、保磁力が小さく透磁率が大きい。このため、受電部と充電装置との間にバイパス部材が配置されると、充電装置に電力を供給したときの電磁誘導が強くなる。したがって、受電部に発生する誘導起電力を大きくすることができる。よって、受電部と充電装置との間にバイパス部材が配置されることにより、充電効率を高めることができる。また、バイパス部材は、受電部と充電装置との間にバイパス部材を配置可能とする付属部材に設けられている。このため、様々な充電器を用いた場合でも、受電部と充電装置との間にバイパス部材を配置することができる。したがって、様々な充電器を用いて充電する場合でも非接触充電における充電効率を高めることができる。
【００１０】
上記の携帯機器において、前記受電部は、前記ケースにおける前記充電装置に対向する対向面に沿った面上に設けられ、中央に開口部が形成された受電コイルを備えており、前記付属部材は、前記充電装置からの充電が行われる際に、前記対向面に直交する軸方向に見て前記バイパス部材と前記受電部とが重ならない位置に前記バイパス部材を配置可能とする。
【００１１】
上記の携帯機器では、充電時にバイパス部材と受電部とが重ならない位置にバイパス部材を配置可能とする。充電時にバイパス部材と受電部とが重ならない位置にバイパス部材を配置することで、受電部と充電装置との間における電磁誘導をより強くすることができる。したがって、さらに非接触充電における充電効率を高めることができる。
【００１２】
上記の携帯機器において、前記付属部材は、前記受電コイルにおける中央に形成された開口部および前記受電コイルの外縁部に、前記バイパス部材を配置可能とする。
【００１３】
上記の携帯機器では、充電時に受電コイルにおける中央に形成された開口部および受電コイルの外縁部にバイパス部材を配置可能とする。受電コイルにおける中央に形成された開口部および受電コイルの外縁部にバイパス部材を配置することで、受電部と充電装置との間における電磁誘導をより強くすることができる。したがって、さらに非接触充電における充電効率を高めることができる。
【００１４】
本発明に係る携帯時計は、時計本体と、前記時計本体における裏面側に収容された受電部と、軟磁性材料を含んで構成されるバイパス部材と、前記時計本体に取り付けられるとともに前記バイパス部材が埋設され、充電装置からの充電が行われる際に前記受電部と前記充電装置との間に前記バイパス部材を配置可能とする付属部材と、を備えることを特徴とする。
【００１５】
上記の携帯時計では、受電部と充電装置との間に軟磁性材料を含むバイパス部材を配置することにより、充電効率を高めることができる。また、バイパス部材は、受電部と充電装置との間にバイパス部材を配置可能とする付属部材に設けられている。このため、様々な充電器を用いた場合でも、受電部と充電装置との間にバイパス部材を配置することができる。したがって、様々な充電器を用いて充電する場合でも非接触充電における充電効率を高めることができる。
【００１６】
上記の携帯時計において、前記付属部材は、折り曲げられることによって前記充電装置からの充電が行われる際に前記受電部と前記充電装置との間に前記バイパス部材を配置可能とするバンドである。
【００１７】
上記の携帯時計では、時計本体に取り付けられたバンドにバイパス部材が埋設されている。このため、バイパス部材を受電部と充電装置との間に容易に配置することができる。
【００１８】
上記の携帯時計において、前記付属部材は、前記時計本体における裏面側に引き通され、前記時計本体の裏側位置に前記バイパス部材が設けられた引き通しバンドである。
【００１９】
上記の携帯時計では、時計本体に取り付けられた引き通しバンドにバイパス部材が埋設されている。このため、バイパス部材を受電部と充電装置との間に容易に配置することができる。
【００２０】
上記の携帯時計において、前記付属部材は、前記時計本体を収容するとともに前記バイパス部材が埋設された本体収容部と、前記本体収容部に設けられた付属バンドと、を備えるジャケットバンドである。
【００２１】
上記の携帯時計では、バイパス部材が埋設された本体収容部と、本体収容部に設けられた付属バンドとを備えている。このため、バイパス部材を受電部と充電装置との間に容易に配置することができる。
【００２２】
上記の携帯時計において、前記付属部材は、前記時計本体に取り付けられたバンドに沿って移動可能となるように前記バンドに取り付けられた遊革である。
【００２３】
上記の携帯時計では、時計本体に取り付けられたバンドに沿って移動可能となるようにバンドに取り付けられた遊革にバイパス部材が埋設されている。このため、バイパス部材を受電部と充電装置との間に容易に配置することができる。
【００２４】
上記の携帯時計において、前記付属部材は、前記時計本体に取り付けられた連結バンドに設けられ、前記時計本体に取り付けられた被連結バンドと前記連結バンドとを連結する中留である。
【００２５】
上記の携帯時計では、被連結バンドと連結バンドとを連結する中留にバイパス部材が埋設されている。このため、バイパス部材を受電部と充電装置との間に容易に配置することができる。
【００２６】
上記の携帯時計において、前記付属部材は、複数のバンド駒が連結され、前記バンド駒に前記バイパス部材が埋設された駒連結バンドである。
【００２７】
上記の携帯時計では、駒連結バンドにおけるバンド駒にバイパス部材が埋設されている。このため、バイパス部材を受電部と充電装置との間に容易に配置することができる。
【００２８】
上記の携帯時計において、前記付属部材は、前記時計本体に設けられたかんである。
【００２９】
上記の携帯時計では、時計本体に設けられたかんにバイパス部材が埋設されている。このため、バイパス部材を受電部と充電装置との間に容易に配置することができる。
【００３０】
上記の携帯時計において、前記付属部材は、前記時計本体の裏面側の開口を塞ぐ裏蓋である。
【００３１】
上記の携帯時計では、時計本体の裏側の開口を塞ぐ裏蓋にバイパス部材が埋設されている。このため、バイパス部材を受電部と充電装置との間に容易に配置することができる。
【００３２】
上記の携帯時計において、前記付属部材は、前記時計本体の裏面側、及び前記裏面側を除いた前記時計本体の一部のそれぞれに対して着脱可能である加飾部材である。
【００３３】
上記の携帯時計では、時計本体の裏面側、及び裏面側を除いた時計本体の一部のそれぞれに対して着脱可能である加飾部材にバイパス部材が埋設されている。このため、バイパス部材を受電部と充電装置との間に容易に配置することができる。
【００３４】
上記の携帯時計において、前記受電部は、前記時計本体における前記充電装置に対向する対向面に沿った面上に設けられ、中央に開口部が形成された受電コイルを備えており、前記付属部材は、前記充電装置からの充電が行われる際に、前記対向面に直交する軸方向に見て前記バイパス部材と前記受電部とが重ならない位置に配置可能とする。
【００３５】
上記の携帯時計では、充電時にバイパス部材と受電部とが重ならない位置にバイパス部材を配置することができるため、さらに非接触充電における充電効率を高めることができる。
【００３６】
上記の携帯時計において、前記付属部材は、前記受電コイルにおける中央に形成された開口部および前記受電コイルの外縁部に、前記バイパス部材を配置可能とする。
【００３７】
上記の携帯時計では、充電時に受電コイルにおける中央に形成された開口部および受電コイルの外縁部にバイパス部材を配置することができるため、さらに非接触充電における充電効率を高めることができる。
【発明の効果】
【００３８】
本発明に係る携帯機器及び携帯時計によれば、様々な充電器を用いて充電する場合でも非接触充電における充電効率を高めることができる。
【図面の簡単な説明】
【００３９】
【図１】第１実施形態に係る携帯時計の斜視図である。
【図２】第１実施形態に係る携帯時計の側断面図である。
【図３】（Ａ）は、第１実施形態に係る携帯時計の充電時の平面図、（Ｂ）は、（Ａ）のＡ−Ａ線断面図である。
【図４】（Ａ）は、バイパス部材が配置されていない状態の磁力線を説明するための携帯時計の側断面図、（Ｂ）は、バイパス部材が配置された状態の磁力線を説明するための携帯時計の側断面図である。
【図５】（Ａ）は、第２実施形態に係る携帯時計の斜視図、（Ｂ）は、第２実施形態に係る携帯時計の充電時の平面図、（Ｃ）は、（Ｂ）のＢ−Ｂ線断面図である。
【図６】（Ａ）は、第３実施形態に係る携帯時計の斜視図、（Ｂ）は、第３実施形態に係る携帯時計の充電時の平面図、（Ｃ）は、（Ｂ）のＣ−Ｃ線断面図である。
【図７】（Ａ）は、第４実施形態に係る携帯時計の平面図、（Ｂ）は、第４実施形態に係る携帯時計の側面図である。
【図８】（Ａ）は、第４実施形態に係る携帯時計の充電時の平面図、（Ｂ）は、（Ａ）のＤ−Ｄ線断面図、（Ｃ）は、（Ａ）のＥ−Ｅ線断面図である。
【図９】（Ａ）は、第５実施形態に係る携帯時計の平面図、（Ｂ）は、第５実施形態に係る携帯時計の側面図である。
【図１０】（Ａ）は、第５実施形態に係る携帯時計の充電時の平面図、（Ｂ）は、第５実施形態に係る携帯時計の充電時の側面図、（Ｃ）は、（Ａ）のＧ−Ｇ線断面図である。
【図１１】（Ａ）は、第６実施形態の係る携帯時計の平面図、（Ｂ）は、第６実施形態に係る携帯時計の側面図である。
【図１２】（Ａ）は、第６実施形態の係る携帯時計の充電時の平面図、（Ｂ）は、（Ａ）のＨ−Ｈ線断面図である。
【図１３】第７の実施形態に係る携帯時計の側断面図である。
【図１４】第８の実施形態に係る携帯時計の側断面図である。
【図１５】（Ａ）は、第９の実施形態に係る携帯時計の側断面図、（Ｂ）は、第９の実施形態に係る携帯時計の充電時の側断面図である。
【発明を実施するための形態】
【００４０】
次に、本発明の実施形態を図面に基づいて説明する。なお、以下の各実施形態の説明において、機能が共通する部材については、同一の符号を付し、その説明を省略することがある。
【００４１】
＜第１実施形態＞
まず、本発明の第１実施形態について説明する。
１−１．携帯時計の構成
図１は、第１実施形態に係る携帯時計の斜視図、図２は、第１実施形態に係る携帯時計の側断面図である。図１及び図２に示すように、本発明の携帯機器の一例である携帯時計１０Ａは、本発明の時計本体の一例であるケース１１Ａを備えている。ケース１１Ａの表面には、液晶表示パネル等の表示装置が設けられており、時刻等の情報を表示する。また、ケース１１Ａには、ムーブメントが内蔵されている。ムーブメントは、駆動ユニット及びバッテリ（蓄電池）等を備えており、表示装置に表示される表示情報を制御する。
【００４２】
ケース１１Ａの両端部には、かん１２Ａ〜１２Ｄが形成されている。また、ケース１１Ａの裏面側には開口部が形成されている。開口部には、裏蓋１３が取り付けられている。裏蓋１３は、開口部を塞いでいる。一端のかん１２Ａ，１２Ｃには、第１ピン１４Ａによって本発明の付属部材及びバンドの一例である第１バンド１５Ａが取り付けられている。他端のかん１２Ｂ，１２Ｄには、第２ピン１４Ｂによって第２バンド１５Ｂが取り付けられている。第１バンド１５Ａにおけるケース１１Ａに取り付けられた側の反対側の端部には、美錠１６が設けられている。
【００４３】
ケース１１Ａの内部には、アンテナ２０が設けられている。アンテナ２０は、本発明の受電部の一例である受電コイル２１と、電磁シールド２２とを備えている。受電コイル２１は、裏蓋１３に近接した位置に配置されている。ここで、裏蓋１３がケース１１Ａに組み込まれた際、外部に露出する露出面とは反対側の面を裏蓋１３の裏面と定義する。受電コイル２１は、本発明の対向面の一例である裏蓋１３の裏面に沿った面上に設けられている。裏蓋１３の裏面に沿った面は、裏蓋１３の裏面に略平行な面である。
【００４４】
受電コイル２１は、上下方向に見て渦巻き状をなしている。なお、以下の説明において、裏蓋１３の裏面に直交する軸方向を上下方向として説明を行う。また、上下方向に見た際の受電コイル２１の中央には、本発明の開口部の一例である中央開口部２１Ａが形成されている。受電コイル２１の外縁部２１Ｂは、本発明の外縁部の一例である。
【００４５】
電磁シールド２２は、受電コイル２１を挟んで裏蓋１３の反対側に配置されている。電磁シールド２２は、受電コイル２１のほぼ全体を覆っている。電磁シールド２２には、ケース１１Ａに内蔵された図示しない蓄電池が載置されている。
【００４６】
電磁シールド２２は、受電コイル２１を通過する磁力線の上方への漏えいを抑制している。蓄電池には、受電コイル２１で発生した電力が供給される。蓄電池は、供給された電力を蓄電している。蓄電池は、ムーブメントの駆動ユニットを駆動させる駆動力等を発生させるための電力をムーブメントに供給する。
【００４７】
第１バンド１５Ａには、本発明のバイパス部材の一例であるバイパス部材３０が埋設されている。バイパス部材３０は、第１バイパス３１、第２バイパス３２、及び第３バイパス３３を備えている。第１バイパス３１〜第３バイパス３３は、第１バンド１５Ａの延在方向に沿ってほぼ一直線上に配置されている。第１バイパス３１は、第２バイパス３２と第３バイパス３３との間に配置されている。第２バイパス３２は、第１バイパス３１の美錠１６側に配置されている。
【００４８】
第１バイパス３１は、上下方向に見た形状が円形状である円柱形状をなしている。第１バイパス３１は、第１バンド１５Ａの幅方向略中央に配置されている。第２バイパス３２は、上下方向に見た形状が弧状をなしている。第２バイパス３２は、第１バンド１５Ａの延在方向に直交する方向に沿って設けられている。第３バイパス３３は、上下方向に見た形状が弧状をなしている。第３バイパス３３は、第１バンド１５Ａの延在方向に直交する方向に沿って設けられている。第２バイパス３２及び第３バイパス３３は、第１バイパス３１を中心とする円弧に沿って設けられている。
【００４９】
第１バイパス３１と第２バイパス３２との離間距離は、第１バイパス３１と第３バイパス３３との離間距離とほぼ同一とされている。第１バンド１５Ａの延在方向に沿った第２バイパス３２と第３バイパス３３との間の最大離間距離は、受電コイル２１の直径とほぼ同一か、あるいは受電コイル２１の直径よりやや大きくされている。
【００５０】
第１バイパス３１、第２バイパス３２、及び第３バイパス３３は、いずれも軟磁性材料を含んで構成されている。軟磁性材料は、保磁力が小さく透磁率が大きい材料である。軟磁性材料としては、例えば鉄、ケイ素鋼、パーマロイ（鉄−ニッケル合金）、センダスト（鉄−ケイ素−アルミニウム合金）、パーメンジュール（鉄−コバルト合金）、ソフトフェライト（酸化鉄を主成分とするセラミックス）、アモルファス磁性合金、ナノクリスタル磁性合金などを挙げることができる。
【００５１】
１−２．充電時の態様
次に、携帯時計１０Ａのケース１１Ａに内蔵された蓄電池に対する充電時の態様について説明する。図３（Ａ）は、第１実施形態に係る携帯時計の充電時の平面図、（Ｂ）は、（Ａ）のＡ−Ａ線断面図である。図３（Ａ）（Ｂ）に示すように、携帯時計１０Ａの充電時には、携帯時計１０Ａが充電装置４０の上に載置される。このとき、携帯時計１０Ａの裏蓋１３の露出面が充電装置４０に対向する。
【００５２】
ここで、充電装置４０について説明する。充電装置４０は、箱状の筐体４１を備えている。充電装置４０は、給電コイル４２を備えている。給電コイル４２は、筐体４１の内部に内蔵されている。給電コイル４２は、受電コイル２１とほぼ同じ形状をなしている。給電コイル４２は、渦巻き状をなす。給電コイル４２を上下方向に見た際の中央には、中央開口部が形成されている。給電コイル４２は、略水平面に沿って形成されている。給電コイル４２の下方には、シールド部材４３が設けられている。シールド部材４３は、給電コイル４２を通過する磁力線の下方への漏えいを抑制している。
【００５３】
携帯時計１０Ａの充電を行う際、携帯時計１０Ａは、第１バンド１５Ａが折り曲げられて充電装置４０に載置される。このとき、受電コイル２１が設けられている面と給電コイル４２が設けられている面とが略平行となる。また、第１バイパス３１〜第３バイパス３３は、受電コイル２１と給電コイル４２との上下方向の間に配置される。第１バンド１５Ａは、折り曲げられることによって充電装置４０からの充電が行われる際に、上下方向に見て受電コイル２１と給電コイル４２との間にバイパス部材３０を配置可能とする。また、給電コイル４２は、受電コイル２１とほぼ同じ形状をなしているため、受電コイル２１と給電コイル４２とは、上下方向に見ておおよそ重なる位置に配置されている。
【００５４】
具体的に、第１バイパス３１は、受電コイル２１の中央開口部２１Ａの下側に配置される。第２バイパス３２及び第３バイパス３３は、受電コイル２１の外縁部２１Ｂの外方の下側に配置される。このため、第１バイパス３１、第２バイパス３２、及び第３バイパス３３は、上下方向に見て受電コイル２１と重ならない位置に配置されている。
【００５５】
携帯時計１０Ａが充電装置４０に載置されたら、充電装置４０における給電コイル４２に電気を流して、携帯時計１０Ａの充電を開始する。給電コイル４２に電気が流れると、給電コイル４２の周囲に磁界が発生する。給電コイル４２の周囲に磁界が発生すると、給電コイル４２とケース１１Ａに内蔵された受電コイル２１との間で電磁誘導が発生する。この電磁誘導により、受電コイル２１に電流が発生する。この電流による電気が蓄電池に充電される。
【００５６】
ここで、受電コイル２１と給電コイル４２との上下方向の間に第１バイパス３１〜第３バイパス３３が配置されていない場合を想定する。この場合、図４（Ａ）に示すように、給電コイル４２から発生する磁界の磁力線Ｂは短いものとなる。このため、給電コイル４２から発生する磁界が受電コイル２１まで届きにくく、充電効率があまり高くないこととなる。
【００５７】
この点、本実施形態では、受電コイル２１と給電コイル４２との上下方向の間に、軟磁性材料を含む第１バイパス３１〜第３バイパス３３が配置される。第１バイパス３１〜第３バイパス３３に含まれる軟磁性材料は、保磁力が小さく透磁率が大きい。このため、図４（Ｂ）に示すように、上下方向に見て受電コイル２１と給電コイル４２との間に第１バイパス３１〜第３バイパス３３を配置すると、給電コイル４２から発生する磁界の磁力線Ｂは長いものとなる。このため、給電コイル４２から発生する磁界が受電コイル２１まで十分に届き、磁力線Ｂは、受電コイル２１に十分にいきわたる。
【００５８】
その結果、充電装置４０に電力を供給したときの電磁誘導が強くなり、受電コイル２１に発生する誘導起電力を大きくすることができる。したがって、受電コイル２１における電磁誘導による電流の発生量を多くすることができるので、蓄電池に対する充電効率を高めることができる。
【００５９】
また、第１バイパス３１、第２バイパス３２、及び第３バイパス３３は、上下方向に見て受電コイル２１と重ならない位置に配置されている。このため、上下方向に見て受電コイル２１と給電コイル４２との間における電磁誘導をより強くすることができる。したがって、蓄電池に対する充電効率をより高めることができる。
【００６０】
また、受電コイル２１の上方に電磁シールド２２が設けられ、給電コイル４２の下方にシールド部材４３が設けられている。このため、受電コイル２１の上方及び給電コイル４２の下方への磁力線Ｂの漏えいが抑制される。その結果、図４（Ｂ）に示すように、磁力線Ｂは、第１バイパス３１と第２バイパス３２とを通過して給電コイル４２と受電コイル２１との間に確実に描かれる。あるいは、磁力線Ｂは、第１バイパス３１と第３バイパス３３とを通過して給電コイル４２と受電コイル２１との間に確実に描かれる。よって、上下方向に見て受電コイル２１と給電コイル４２との間における電磁誘導をより強くすることができ、蓄電池に対する充電効率をより高めることができる。
【００６１】
また、第１バイパス３１〜第３バイパス３３は、第１バンド１５Ａに埋設されている。第１バンド１５Ａは、第１バイパス３１〜第３バイパス３３を、上下方向に見て受電コイル２１と給電コイル４２との間に配置するように変形可能である。このため、第１バンド１５Ａの折り曲げ位置などを調整することにより、受電コイル２１との相対的な位置関係を容易に調整することができる。
【００６２】
ところで、充電装置には様々なものがある。例えば、充電装置によっては、給電コイルの大きさや形状が受電コイル２１の大きさや形状と異なることがある。この場合、受電コイル２１と給電コイルとが近接しにくい状態となることが考えられる。この点、携帯時計１０Ａでは、第１バンド１５Ａの折り曲げ位置を調整することで、第１バイパス３１〜第３バイパス３３を配置する位置を容易に調整できる。したがって、受電コイル２１と給電コイルとが近接しない場合でも、受電コイル２１と給電コイルとの間にバイパス部材３０を容易に配置することができる。したがって、様々な充電器を用いて充電する場合でも非接触充電における充電効率を高めることができる。
【００６３】
また、バイパス部材３０が埋設されている第１バンド１５Ａは、ケース１１Ａに取り付けられている。このため、ケース１１Ａに収容されている受電コイル２１を用いて非接触充電を行う際に、バイパス部材３０を有していないという状況は非常に少なくなる。したがって、上下方向に見て受電コイル２１と給電コイル４２との間にバイパス部材３０を配置した高効率な充電ができない事態を抑制できる。
【００６４】
なお、本実施形態では、バイパス部材３０として第１バイパス３１〜第３バイパス３３の３つのバイパスを設けているが、バイパス部材は、１つのバイパスであってもよいし、２つまたは４つ以上のバイパスであってもよい。また、バイパス部材３０は、受電コイル２１の中央開口部２１Ａの下側及び受電コイル２１の外縁部２１Ｂの外方の下側に配置されているが、受電コイル２１の中央開口部２１Ａの下側または受電コイル２１の外縁部２１Ｂの外方の下側のみに配置されていてもよい。また、バイパス部材３０は、上下方向に見て受電コイル２１と重ならない位置に配置されているが、バイパス部材３０は、上下方向に見て受電コイルと一部が重なる位置に配置されていてもよい。
【００６５】
＜第２実施形態＞
次に、本発明の第２実施形態について説明する。
２−１．携帯時計の構成
図５（Ａ）は、第２実施形態に係る携帯時計の斜視図、（Ｂ）は、第２実施形態に係る携帯時計の充電時の平面図、（Ｃ）は、（Ｂ）のＢ−Ｂ線断面図である。図５（Ａ）〜（Ｃ）に示すように、携帯時計１０Ｂは、ケース１１Ｂを備えている。ケース１１Ｂには、表示装置が設けられている。ケース１１Ｂには、ムーブメントが内蔵されている。ケース１１Ｂには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。
【００６６】
また、ケース１１Ｂの両端部には、かん１２Ａ〜かん１２Ｄが形成されている。ケース１１Ｂの裏面側の開口部には裏蓋１３が取り付けられている。ケース１１Ｂの一端のかん１２Ａ及びかん１２Ｃには、第１ピン１４Ａが設けられている。ケース１１Ｂの他端のかん１２Ｂ及びかん１２Ｄには、第２ピン１４Ｂが設けられている。ケース１１Ｂの裏面側には、本発明の付属部材及び引き通しバンドの一例である引き通しバンド５１が引き通されている。引き通しバンド５１は、第１ピン１４Ａとケース１１Ｂとの間に挿通されている。引き通しバンド５１は、第２ピン１４Ｂとケース１１Ｂとの間にも挿通されている。
【００６７】
引き通しバンド５１は、第１バンド部５１Ａと、第２バンド部５１Ｂと、第３バンド部５１Ｃとを備えている。第１バンド部５１Ａは、引き通しバンド５１における第１ピン１４Ａよりもケース１１Ｂの反対側の部位である。第２バンド部５１Ｂは、引き通しバンド５１における第１ピン１４Ａと第２ピン１４Ｂとの間の部位である。第２バンド部５１Ｂは、ケース１１Ｂの裏側に配置されている。第３バンド部５１Ｃは、引き通しバンド５１における第２ピン１４Ｂよりもケース１１Ｂの反対側の部位である。
【００６８】
第２バンド部５１Ｂには、バイパス部材３０Ｂが埋設されている。バイパス部材３０Ｂは、第１バイパス３１、第２バイパス３２、及び第３バイパス３３を備えている。第１バイパス３１、第２バイパス３２、及び第３バイパス３３は、上記第１実施形態と共通する大きさ及び配置となっている。携帯時計１０Ｂは、充電されるときには、充電装置４０に載置される。充電装置４０は、筐体４１、給電コイル４２、及びシールド部材４３を備えている。充電装置４０は、上記第１実施形態で説明したものと共通のものである。
【００６９】
２−２．充電時の態様
第２実施形態に係る携帯時計１０Ｂでは、上記第１実施形態と同様、充電時には、軟磁性材料を含む第１バイパス３１〜第３バイパス３３が、上下方向に見て受電コイル２１と給電コイル４２との間に配置されている。このため、給電コイル４２から発生する磁界の磁力線が、受電コイル２１にまで十分にいきわたるので、受電コイル２１における電磁誘導による電流の発生量を多くすることができる。したがって、蓄電池に対する充電効率を高めることができる。
【００７０】
また、第１バイパス３１、第２バイパス３２、及び第３バイパス３３は、上下方向に見て受電コイル２１と重ならない位置に配置されている。このため、上下方向に見て受電コイル２１と給電コイル４２との間における電磁誘導をより強くすることができる。したがって、蓄電池に対する充電効率をより高めることができる。
【００７１】
また、本実施形態では、第１バイパス３１〜第３バイパス３３が引き通しバンド５１の一部であって、ケース１１Ｂの裏側に配置される第２バンド部５１Ｂに埋設されている。このため、ケース１１Ｂを充電装置４０に載置するだけで、第１バイパス３１〜第３バイパス３３を上下方向に見て受電コイル２１と重ならない位置に配置することができる。したがって、様々な充電器を用いて充電する場合でも非接触充電における充電効率を高めることができる。
【００７２】
＜第３実施形態＞
次に、本発明の第３実施形態について説明する。
３−１．携帯時計の構成
図６（Ａ）は、第３実施形態に係る携帯時計の斜視図、（Ｂ）は、第３実施形態に係る携帯時計の充電時の平面図、（Ｃ）は、（Ｂ）のＣ−Ｃ線断面図である。図６（Ａ）〜（Ｃ）に示すように、携帯時計１０Ｃは、ケース１１Ｃを備えている。ケース１１Ｃには、表示装置が設けられている。ケース１１Ｃには、ムーブメントが内蔵されている。ケース１１Ｃには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。
【００７３】
また、ケース１１Ｃは、本発明の付属部材の一例であるジャケットバンド５２に取り付けられている。ジャケットバンド５２は、本体収容部５２Ａを備えている。ケース１１Ｃは、本体収容部５２Ａに収容されている。本体収容部５２Ａには、本発明の付属バンドの一例である第１バンド５２Ｂ及び第２バンド５２Ｃが本体収容部５２Ａと一体となって設けられている。
【００７４】
本体収容部５２Ａの底面部には、バイパス部材３０Ｃが埋設されている。バイパス部材３０Ｃは、第１バイパス３１Ｃ及び第２バイパス３２Ｃを備えている。第１バイパス３１Ｃ及び第２バイパス３２Ｃは、本体収容部５２Ａの底面部に埋設されている。第１バイパス３１Ｃは、上記第１実施形態と共通する大きさ及び配置となっている。第２バイパス３２Ｃは、リング状をなしている。第２バイパス３２Ｃは、上下方向に見て受電コイル２１の外周に沿って配置されている。携帯時計１０Ｃの本体収容部５２Ａは、充電されるときには、充電装置４０に載置される。充電装置４０は、筐体４１、給電コイル４２、及びシールド部材４３を備えている。充電装置４０は、上記第１実施形態で説明したものと共通のものである。
３−２．充電時の態様
【００７５】
第３実施形態に係る携帯時計１０Ｃでは、充電時には、軟磁性材料を含む第１バイパス３１Ｃ及び第２バイパス３２Ｃが上下方向に見て受電コイル２１と給電コイル４２との間に配置されている。このため、上記第１実施形態と同様、給電コイル４２から発生する磁界の磁力線が、受電コイル２１にまで十分にいきわたるので、受電コイル２１における電磁誘導による電流の発生量を多くすることができる。したがって、蓄電池に対する充電効率を高めることができる。
【００７６】
また、第１バイパス３１Ｃ及び第２バイパス３２Ｃは、上下方向に見て受電コイル２１と重ならない位置に配置されている。このため、上下方向に見て受電コイル２１と給電コイル４２との間における電磁誘導をより強くすることができる。したがって、蓄電池に対する充電効率をより高めることができる。
【００７７】
また、第１バイパス３１Ｃ及び第２バイパス３２Ｃは、ジャケットバンド５２における本体収容部５２Ａの底面部に埋設されている。このため、ジャケットバンド５２の本体収容部５２Ａを充電装置４０に載置するだけで、第１バイパス３１Ｃ及び第２バイパス３２Ｃを上下方向に見て受電コイル２１と重ならない位置に配置することができる。したがって、様々な充電器を用いて充電する場合でも非接触充電における充電効率を高めることができる。
【００７８】
＜第４実施形態＞
次に、本発明の第４実施形態について説明する。
４−１．携帯時計の構成
図７（Ａ）は、第４実施形態に係る携帯時計の平面図、（Ｂ）は、第４実施形態に係る携帯時計の側面図である。図８（Ａ）は、第４実施形態に係る携帯時計の充電時の平面図、（Ｂ）は、（Ａ）のＤ−Ｄ線断面図、（Ｃ）は、（Ａ）のＥ−Ｅ線断面図である。図７（Ａ）（Ｂ）に示すように、携帯時計１０Ｄは、箱形のケース１１Ｄを備えている。ケース１１Ｄには、表示装置が設けられている。ケース１１Ｄには、ムーブメントが内蔵されている。ケース１１Ｄには、アンテナ２０が設けられている。アンテナ２０は、受電コイル２１及び電磁シールド２２を備えている。アンテナ２０は、上記第１実施形態で説明したものと共通である。
【００７９】
ケース１１Ｄの両端部には、かん１２Ａ〜１２Ｄが形成されている。一端のかん１２Ａ，１２Ｃには、第１バンド５３Ａが取り付けられている。他端のかん１２Ｂ，１２Ｄには、本発明のバンドの一例である第２バンド５３Ｂが取り付けられている。第２バンド５３Ｂには、本発明の付属部材の一例である遊革５４が取り付けられている。遊革５４は、第２バンド５３Ｂの一部を包んでいる。第２バンド５３Ｂにおけるケース１１Ｄが取り付けられた側の反対側には、美錠５５が取り付けられている。美錠５５は、美錠本体５５Ａと、つく棒５５Ｂとを備えている。第１バンド５３Ａには、その延在方向に沿って略等間隔で離間する複数の子穴５６，５６…が形成されている。第１バンド５３Ａと第２バンド５３Ｂとは、第１バンド５３Ａが美錠５５の美錠本体５５Ａに挿入されて連結される。第１バンド５３Ａと第２バンド５３Ｂとは、つく棒５５Ｂが子穴５６，５６…のいずれかに挿入されて固定される。
【００８０】
第２バンド５３Ｂ及び遊革５４には、バイパス部材３０Ｄが設けられている。バイパス部材３０Ｄは、第２バンド５３Ｂに埋設された第１バイパス３１Ｄ１〜３１Ｄ８を備えている。バイパス部材３０Ｄは、遊革５４に埋設された第２バイパス３２Ｄ１〜３２Ｄ３及び第３バイパス３３Ｄ１〜３３Ｄ３を備えている。
【００８１】
第１バイパス３１Ｄ１〜３１Ｄ８は、第２バンド５３Ｂにおける幅方向略中央部において、第２バンド５３Ｂの延在方向に略等間隔で離間して配置されている。第２バイパス３２Ｄ１〜３２Ｄ３は、上下方向に見て遊革５４における第２バンド５３Ｂよりも外側の一端部に配置されている。第２バイパス３２Ｄ１〜３２Ｄ３は、第２バンド５３Ｂの延在方向に略等間隔を置いて配置されている。第２バイパス３２Ｄ１〜３２Ｄ３の離間距離は、第１バイパス３１Ｄ１〜３１Ｄ８の離間距離よりも短くされている。
【００８２】
第３バイパス３３Ｄ１〜３３Ｄ３は、上下方向に見て遊革５４における第２バンド５３Ｂよりも外側の他端部に配置されている。第３バイパス３３Ｄ１〜３３Ｄ３は、第２バンド５３Ｂの延在方向に略等間隔を置いて配置されている。第３バイパス３３Ｄ１〜３３Ｄ３の離間距離は、第２バイパス３２Ｄ１〜３２Ｄ３の離間距離とほぼ同一である。
【００８３】
図８（Ａ）〜（Ｃ）に示すように、携帯時計１０Ｄは、充電されるときには、充電装置４０に載置される。充電装置４０は、筐体４１、給電コイル４２、及びシールド部材４３を備えている。充電装置４０は、上記第１実施形態で説明したものと共通のものである。携帯時計１０Ｄでは、充電されるときに第２バンド５３Ｂがかん１２Ｂ，１２Ｄの部分で折り返される。遊革５４は、第２バンド５３Ｂの延在方向に沿って移動可能とされている。遊革５４の位置は、携帯時計１０Ｄを充電装置４０に載置したときに調整される。このとき、遊革５４は、アンテナ２０の下方に配置される。
【００８４】
４−２．充電時の態様
第４実施形態に係る携帯時計１０Ｄでは、充電時には、軟磁性材料を含む第１バイパス３１Ｄ１〜３１Ｄ８のいずれかが、上下方向に見て受電コイル２１と給電コイル４２との間に配置される。図８に示す例では、第１バイパス３１Ｄ３、第２バイパス３２Ｄ１〜３２Ｄ３、第３バイパス３３Ｄ１〜３３Ｄ３が上下方向に見て受電コイル２１と給電コイル４２との間に配置されている。このため、給電コイル４２から発生する磁界の磁力線が、受電コイル２１にまで十分にいきわたるので、受電コイル２１における電磁誘導による電流の発生量を多くすることができる。その結果、蓄電池に対する充電を効率よく行うことができる。
【００８５】
また、本実施形態では遊革５４に第２バイパス３２Ｄ１〜３２Ｄ３及び第３バイパス３３Ｄ１〜３３Ｄ３が埋設されている。このため、充電時における第２バイパス３２Ｄ１〜３２Ｄ３及び第３バイパス３３Ｄ１〜３３Ｄ３の配置位置の微調整を容易に行うことができる。また、第２バンド５３Ｂの幅方向略中央部に第１バイパス３１Ｄ１〜３１Ｄ８が埋設されているので、第１バイパス３１Ｄ１〜３１Ｄ８のいずれかを受電コイル２１の内側開口部に容易に配置することができる。したがって、様々な充電器を用いて充電する場合でも非接触充電における充電効率を高めることができる。
【００８６】
＜第５実施形態＞
次に、本発明の第５実施形態について説明する。
５−１．携帯時計の構成
図９（Ａ）は、第５実施形態に係る携帯時計の平面図、（Ｂ）は、第５実施形態に係る携帯時計の側面図である。図１０（Ａ）は、第５実施形態に係る携帯時計の充電時の平面図、（Ｂ）は、第５実施形態に係る携帯時計の充電時の側面図、（Ｃ）は、（Ａ）のＧ−Ｇ線断面図である。図９（Ａ）（Ｂ）に示すように、携帯時計１０Ｅは、ケース１１Ｅを備えている。ケース１１Ｅには、表示装置が設けられている。ケース１１Ｅには、ムーブメントが内蔵されている。ケース１１Ｅには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。
【００８７】
また、ケース１１Ｅの両端部には、かん１２Ａ〜１２Ｄが形成されている。ケース１１Ｅの一端のかん１２Ａ，１２Ｃには、第１ピン１４Ａが設けられている。ケース１１Ｅの他端のかん１２Ｂ，１２Ｄには、第２ピン１４Ｂが設けられている。ケース１１Ｅの一端のかん１２Ａ，１２Ｃには、被連結バンド６１Ａが取り付けられている。ケース１１Ｅの他端のかん１２Ｂ，１２Ｄには、連結バンド６１Ｂが取り付けられている。
【００８８】
連結バンド６１Ｂには、本発明の付属部材の一例である中留６２が取り付けられている。中留６２は、被連結バンド６１Ａにおけるケース１１Ｅと接続された側の反対側に接続される。中留６２は、被連結バンド６１Ａと連結バンド６１Ｂとを連結する。中留６２には、バイパス部材３０Ｅが埋設されている。バイパス部材３０Ｅは、第１バイパス３１Ｅ、第２バイパス３２Ｅ、及び第３バイパス３３Ｅを備えている。第１バイパス３１Ｅは、中留６２の幅方向略中央部に配置されている。第２バイパス３２Ｅは、第１バイパス３１Ｅから見て中留６２の幅方向の一端側に配置されている。第３バイパス３３Ｅは、第１バイパス３１Ｅから見て中留６２の幅方向の他端側に配置されている。第１バイパス３１Ｅ、第２バイパス３２Ｅ、第３バイパス３３Ｅは、中留６２の幅方向に沿って一直線上に配列されている。
【００８９】
携帯時計１０Ｅは、充電されるときには、図１０（Ａ）〜（Ｃ）に示すように、充電装置４０に載置される。充電装置４０は、筐体４１、給電コイル４２、及びシールド部材４３を備えている。充電装置４０は、上記第１実施形態で説明したものと共通のものである。連結バンド６１Ｂは、途中位置で折り曲げられる。これにより、中留６２における第１バイパス３１Ｅは、受電コイル２１の中央開口部２１Ａの下側に配置される。第２バイパス３２Ｅ及び第３バイパス３３Ｅは、それぞれ受電コイル２１の外縁部２１Ｂの外方の下側に配置される。
【００９０】
５−２．充電時の態様
第５実施形態に係る携帯時計１０Ｅでは、充電時には、軟磁性材料を含む第１バイパス３１Ｅ〜第３バイパス３３Ｅが、上下方向に見て受電コイル２１と給電コイル４２との間に配置されている。このため、上記第１実施形態と同様、給電コイル４２から発生する磁界の磁力線が、受電コイル２１にまで十分にいきわたるので、受電コイル２１における電磁誘導による電流の発生量を多くすることができる。その結果、蓄電池に対する充電効率を高めることができる。
【００９１】
また、本実施形態では、第１バイパス３１Ｅ〜第３バイパス３３Ｅが連結バンド６１Ｂに取り付けられた中留６２に埋設されている。このため、連結バンド６１Ｂを適宜折り曲げることによって、第１バイパス３１Ｅ〜第３バイパス３３Ｅを上下方向に見て受電コイル２１と給電コイル４２とが重ならない位置に容易に配置することができる。したがって、様々な充電器を用いて充電する場合でも非接触充電における充電効率を高めることができる。
【００９２】
＜第６実施形態＞
次に、本発明の第６実施形態について説明する。
６−１．携帯時計の構成
図１１（Ａ）は、第６実施形態に係る携帯時計の平面図、（Ｂ）は、第６実施形態に係る携帯時計の側面図である。図１２（Ａ）は、第６実施形態に係る携帯時計の充電時の平面図、（Ｂ）は、（Ａ）のＨ−Ｈ線断面図である。図１１（Ａ）（Ｂ）に示すように、携帯時計１０Ｆは、ケース１１Ｆを備えている。ケース１１Ｆには、表示装置が設けられている。ケース１１Ｆには、ムーブメントが内蔵されている。ケース１１Ｆには、アンテナ２０が設けられている。アンテナ２０は、受電コイル２１及び電磁シールド２２を備えている。アンテナ２０は、上記第１実施形態で説明したものと共通である。
【００９３】
また、ケース１１Ｆの両端部には、かん１２Ａ〜１２Ｄが形成されている。一端のかん１２Ａ，１２Ｃには、本発明の付属部材及び駒連結バンドの一例である第１駒連結バンド６３Ａが取り付けられている。他端のかん１２Ｂ，１２Ｄには、本発明の付属部材及び駒連結バンドの一例である第２駒連結バンド６３Ｂが取り付けられている。第１駒連結バンド６３Ａ及び第２駒連結バンド６３Ｂは、複数のバンド駒が連結された駒連結バンドである。
【００９４】
第１駒連結バンド６３Ａ及び第２駒連結バンド６３Ｂには、バイパス部材３０Ｆが埋設されている。第１駒連結バンド６３Ａの第１バンド第１駒６３Ａ１〜第１バンド第３駒６３Ａ３には、それぞれ第１バイパス３１Ｆ１〜第３バイパス３１Ｆ３が埋設されている。また、第２駒連結バンド６３Ｂの第２バンド第１駒６３Ｂ１〜第２バンド第５駒６３Ｂ５には、それぞれ第４バイパス３１Ｆ４〜第８バイパス３１Ｆ８が埋設されている。
【００９５】
第１駒連結バンド６３Ａ及び第２駒連結バンド６３Ｂのその他のバンド駒にもバイパスが設けられている。第１駒連結バンド６３Ａ及び第２駒連結バンド６３Ｂにおけるバンド駒は、第１駒連結バンド６３Ａ及び第２駒連結バンド６３Ｂの延在方向に沿って一直線上に配置されている。また、第１バイパス３１Ｆ１〜第８バイパス３１Ｆ８は、第１バンド第１駒６３Ａ１〜第１バンド第３駒６３Ａ３及び第２バンド第１駒６３Ｂ１〜第２バンド第５駒６３Ｂ５の幅方向の中央部にそれぞれ配置されている。第１バイパス３１Ｆ１〜第８バイパス３１Ｆ８は、第１駒連結バンド６３Ａ及び第２駒連結バンド６３Ｂの延在方向に沿って一直線上に配置されている。携帯時計１０Ｆは、充電されるときには、充電装置４０に載置される。充電装置４０は、筐体４１、給電コイル４２、及びシールド部材４３を備えている。充電装置４０は、上記第１実施形態で説明したものと共通のものである。
【００９６】
６−２．充電時の態様
第６実施形態に係る携帯時計１０Ｆでは、充電時には、軟磁性材料を含む第１バイパス３１Ｆ１〜第８バイパス３１Ｆ８が、上下方向に見て受電コイル２１と給電コイル４２との間に配置されている。このため、給電コイル４２から発生する磁界の磁力線が、受電コイル２１にまで十分にいきわたるので、受電コイル２１における電磁誘導による電流の発生量を多くすることができる。その結果、蓄電池に対する充電を効率よく行うことができる。
【００９７】
また、図１１（Ａ）（Ｂ）に示す第１バイパス３１Ｆ１〜第８バイパス３１Ｆ８には、受電コイル２１の近傍において、受電コイル２１と給電コイル４２とが重ならない位置とそれ以外の位置とに配置される場合がある。具体的に、図１２（Ｂ）に示すように、第４バイパス３１Ｆ４及び第７バイパス３１Ｆ７は、受電コイル２１の外縁部２１Ｂの外方の下側に配置されている。第５バイパス３１Ｆ５は受電コイル２１の中央開口部２１Ａの下側に配置されている。これに対して、第６バイパス３１Ｆ６は、受電コイル２１の中央開口部２１Ａの下側及び外縁部２１Ｂの外方の下側以外の位置に配置されている。このような場合でも、第４バイパス３１Ｆ４及び第５バイパス３１Ｆ５が、上下方向に見て受電コイル２１と給電コイル４２とが重ならない位置に配置されることにより、蓄電池に対する充電効率を高めることができる。したがって、様々な充電器を用いて充電する場合でも非接触充電における充電効率を高めることができる。
【００９８】
＜第７実施形態＞
次に、本発明の第７実施形態について説明する。
７−１．携帯時計の構成
図１３は、第７実施形態に係る携帯時計の側断面図である。図１３に示すように、携帯時計１０Ｇは、ケース１１Ｇを備えている。ケース１１Ｇには、風防１８が設けられている。ケース１１Ｇには、図示しないムーブメントが内蔵されている。ケース１１Ｇには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。アンテナ２０には、蓄電池８０が載置されている。
【００９９】
また、ケース１１Ｇの裏面側の四隅には、本発明の付属部材及びかんの一例である第１かん１２Ｇ１〜第４かん１２Ｇ４が設けられている。第１かん１２Ｇ１〜第４かん１２Ｇ４は、いずれも受電コイル２１の外縁部２１Ｂの外方に配置されている。第１かん１２Ｇ１〜第４かん１２Ｇ４は、いずれも同一形状をなしている。図１３においては、第１かん１２Ｇ１は、第３かん１２Ｇ３の手前位置にある。第２かん１２Ｇ２は第４かん１２Ｇ４の手前位置にある。一端の第１かん１２Ｇ１と第３かん１２Ｇ３との間には引き通しバンド１９が引き通されている。他端の第２かん１２Ｇ２と第４かん１２Ｇ４との間にも引き通しバンド１９が引き通されている。
【０１００】
引き通しバンド１９及び第１かん１２Ｇ１〜第４かん１２Ｇ４には、バイパス部材３０Ｇが設けられている。バイパス部材３０Ｇは、第１バイパス３１Ｇ〜第５バイパス３５Ｇを備えている。第１バイパス３１Ｇは、引き通しバンド１９における受電コイル２１の中央開口部２１Ａの下側に埋設されている。第２バイパス３２Ｇ〜第５バイパス３５Ｇは、ケース１１Ｇにおける第１かん１２Ｇ１、第２かん１２Ｇ２、第３かん１２Ｇ３、第４かん１２Ｇ４にそれぞれ設けられている。第２バイパス３２Ｇ、第３バイパス３３Ｇ、第４バイパス３４Ｇ、第５バイパス３５Ｇは、いずれも同一形状をなしている。図１３においては、第２バイパス３２Ｇは、第４バイパス３４Ｇの手前位置にある。第３バイパス３３Ｇは第５バイパス３５Ｇの手前位置にある。
【０１０１】
携帯時計１０Ｇは、充電されるときには、充電装置４０に載置される。充電装置４０は、筐体４１、給電コイル４２、及びシールド部材４３を備えている。充電装置４０は、上記第１実施形態で説明したものと共通のものである。
【０１０２】
７−２．充電時の態様
第７実施形態に係る携帯時計１０Ｇでは、充電時には、軟磁性材料を含む第１バイパス３１Ｇ〜第５バイパス３５Ｇが、上下方向に見て受電コイル２１と給電コイル４２との間に配置されている。このため、上記第１実施形態と同様、給電コイル４２から発生する磁界の磁力線が、受電コイル２１にまで十分にいきわたるので、受電コイル２１における電磁誘導による電流の発生量を多くすることができる。その結果、蓄電池に対する充電効率を高めることができる。
【０１０３】
また、本実施形態では、引き通しバンド１９における受電コイル２１の中央開口部２１Ａの下側には第１バイパス３１Ｇが埋設されている。このため、ケース１１Ｇを充電装置４０に載置するだけで、上下方向に見て受電コイル２１と重ならない位置に第１バイパス３１Ｇを配置することができる。したがって、様々な充電器を用いて充電する場合でも非接触充電における充電効率を高めることができる。
【０１０４】
また、第２バイパス３２Ｇ〜第５バイパス３５Ｇは、受電コイル２１の外縁部２１Ｂの外方において、受電コイル２１の下側及び上側にまたがって配置されている。この場合でも、第２バイパス３２Ｇ〜第５バイパス３５Ｇの一部が受電コイル２１の外縁部２１Ｂの外方の下側に配置されているので、給電コイル４２から発生する磁界の磁力線を受電コイル２１にいきわたらせやすくできる。その結果、蓄電池に対する充電効率を高めることができる。
【０１０５】
＜第８実施形態＞
次に、本発明の第８実施形態について説明する。
８−１．携帯時計の構成
図１４は、第８実施形態に係る携帯時計の側断面図である。図１４に示すように、携帯時計１０Ｈは、ケース１１Ｈを備えている。ケース１１Ｈには、風防１８が設けられている。ケース１１Ｈには、図示しないムーブメントが内蔵されている。ケース１１Ｈには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。アンテナ２０には、蓄電池８０が載置されている。
【０１０６】
また、ケース１１Ｈの裏面側の開口部には、本発明の付属部材の一例である裏蓋１３Ｈが取り付けられている。裏蓋１３Ｈは、ケース１１Ｈの裏面側の開口部を塞いでいる。裏蓋１３Ｈには、バイパス部材３０Ｈが埋設されている。バイパス部材３０Ｈは、第１バイパス３１Ｈ、第２バイパス３２Ｈ、及び第３バイパス３３Ｈを備えている。第１バイパス３１Ｈは、受電コイル２１の中央開口部２１Ａの下側に配置されている。第２バイパス３２Ｈ及び第３バイパス３３Ｈは、受電コイル２１の外縁部２１Ｂの外方の下側に配置されている。
【０１０７】
携帯時計１０Ｈは、充電されるときには、充電装置４０に載置される。充電装置４０は、筐体４１、給電コイル４２、及びシールド部材４３を備えている。充電装置４０は、上記第１実施形態で説明したものと共通のものである。
【０１０８】
８−２．充電時の態様
第８実施形態に係る携帯時計１０Ｈでは、充電時には、軟磁性材料を含む第１バイパス３１Ｈ〜第３バイパス３３Ｈが、上下方向に見て受電コイル２１と給電コイル４２との間に配置されている。このため、上記第１実施形態と同様、給電コイル４２から発生する磁界の磁力線が、受電コイル２１にまで十分にいきわたるので、受電コイル２１における電磁誘導による電流の発生量を多くすることができる。その結果、蓄電池に対する充電効率を高めることができる。
【０１０９】
また、本実施形態では、裏蓋１３Ｈに第１バイパス３１Ｈ〜第３バイパス３３Ｈが埋設されている。このため、ケース１１Ｈを充電装置４０に載置するだけで、第１バイパス３１Ｈ〜第３バイパス３３Ｈを上下方向に見て受電コイル２１と重ならない位置に配置することができる。したがって、様々な充電器を用いて充電する場合でも非接触充電における充電効率を高めることができる。
【０１１０】
＜第９実施形態＞
次に、本発明の第９実施形態について説明する。
９−１．携帯時計の構成
図１５（Ａ）は、第９実施形態に係る携帯時計の側断面図、（Ｂ）は、第９実施形態に係る携帯時計の充電時の側断面図である。図１５（Ａ）に示すように、携帯時計１０Ｉは、ケース１１Ｉを備えている。ケース１１Ｉには、風防１８が設けられている。ケース１１Ｉには、図示しないムーブメントが内蔵されている。ケース１１Ｉには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。アンテナ２０には、蓄電池８０が載置されている。
【０１１１】
また、ケース１１Ｉの上面部の四隅には、切欠き部が形成されており、これらの切欠き部に本発明の付属部材の一例である加飾部材９０が取り付けられている。加飾部材９０は、上下方向に見て風防１８を囲む形状とされている。ケース１１Ｉの上面部に形成された切欠き部は、加飾部材９０に対して嵌め合い可能とされた形状とされている。加飾部材９０は、裏面側を除いたケース１１Ｉ（時計本体）の一部である上面部に対して着脱可能とされている。裏面側を除いたケース１１Ｉの一部は、上面部以外の部位でもよい。例えば、裏面側を除いたケース１１Ｉの一部は、ケース１１Ｉの側面部でもよい。また、裏面側を除いたケース１１Ｉの一部は、ケース１１Ｉの上面部と側面部とをわたる部位でもよい。
【０１１２】
ケース１１Ｉの裏側の開口部には、裏蓋１３Ｉが取り付けられている。裏蓋１３Ｉの下方には、第１バンド９１Ａ及び第２バンド９１Ｂが設けられている。裏蓋１３Ｉの裏面側の四隅には、第１かん９２Ａ，第２かん９２Ｂ，第３かん９２Ｃ，第４かん９２Ｄが設けられている。第１かん９２Ａ〜第４かん９２Ｄは、いずれも同一形状をなしており、図１５においては、第１かん９２Ａは、第３かん９２Ｃの手前位置にあり、第２かん９２Ｂは第４かん９２Ｄの手前位置にある。
【０１１３】
第１バンド９１Ａは、一端の第１かん９２Ａ及び第３かん９２Ｃに取り付けられている。第２バンド９１Ｂは、他端の第２かん９２Ｂ及び第４かん９２Ｄに取り付けられている。第１かん９２Ａ〜第４かん９２Ｄは、全体として加飾部材９０に対して嵌め合い可能な形状とされている。加飾部材９０は、ケース１１Ｉの裏面側において、第１かん９２Ａ〜第４かん９２Ｄに対して着脱可能とされている。
【０１１４】
第２バンド９１Ｂは、第２かん９２Ｂ及び第４かん９２Ｄを軸として折り畳み可能とされている。折り畳まれた第２バンド９１Ｂは、第１かん９２Ａ及び第３かん９２Ｃに挟み込まれる。第２バンド９１Ｂは、加飾部材９０が第１かん９２Ａ〜第４かん９２Ｄに嵌め込まれることにより、第１かん９２Ａ及び第３かん９２Ｃの間に固定される。
【０１１５】
また、携帯時計１０Ｉは、バイパス部材３０Ｉを備えている。バイパス部材３０Ｉは、第１バイパス３１Ｉ及び加飾部材９０を備えている。第１バイパス３１Ｉは、第２バンド９１Ｂに埋設されている。第２バンド９１Ｂが第１かん９２Ａ及び第３かん９２Ｃの間に固定されたときに、受電コイル２１における中央開口部の下側に第１バイパス３１Ｉが配置される。加飾部材９０は、軟磁性材料で構成されている。このため、加飾部材９０は、バイパス部材の一部を構成する。
【０１１６】
９−２．充電時の態様
第９実施形態に係る携帯時計１０Ｉでは、充電時には、加飾部材９０は、ケース１１Ｉに設けられた第１かん９２Ａ〜第４かん９２Ｄに取り付けられる。このとき、受電コイル２１における中央開口部２１Ａの下側には、第２バンド９１Ｂに埋設された第１バイパス３１Ｉが配置される。また、受電コイル２１における外縁部２１Ｂの外方の下側には、加飾部材９０が配置される。加飾部材９０は、軟磁性材料で構成されており、バイパス部材としての機能を有している。このため、給電コイル４２から発生する磁界の磁力線が、受電コイル２１にまで十分にいきわたるので、受電コイル２１における電磁誘導による電流の発生量を多くすることができる。その結果、蓄電池に対する充電効率を高めることができる。
【０１１７】
また、加飾部材９０は、第２バンド９１Ｂを第１かん９２Ａ及び第３かん９２Ｃの間に固定する部材であるところ、本実施形態に係る携帯時計１０Ｉでは、この加飾部材９０をバイパス部材としても活用している。このため、別途バイパス部材を増やすことなく、充電効率を高めることができ、部品点数の削減に寄与することができる。
【０１１８】
本実施形態では、加飾部材９０は、軟磁性材料で形成されているが、他の材料、例えば樹脂などで形成されていてもよい。この場合、加飾部材自体はバイパス部材としては機能しえない。このため、軟磁性材料以外の材料で形成された加飾部材にバイパス部材としての軟磁性体を埋設してもよい。
【０１１９】
なお、本発明は、図面を参照して説明した上述の実施形態に限定されるものではなく、その技術的範囲において様々な変形例が考えられる。
【０１２０】
各実施形態では、携帯機器として、携帯時計１０Ａ〜１０Ｉを例に説明をしたが、充電用のアンテナを備えるものであれば、携帯時計１０Ａ〜１０Ｉに限定されない。したがって、例えば、心拍計や体組成計等、他の携帯機器にも本発明を適用できる。
【０１２１】
その他、本発明の趣旨を逸脱しない範囲で、上記した実施の形態における構成要素を周知の構成要素に置き換えることは適宜可能である。
【符号の説明】
【０１２２】
１０Ａ〜１０Ｉ…携帯時計（携帯機器）、１１Ａ〜１１Ｉ…ケース、１２Ｇ１〜１２Ｇ４…第１かん〜第４かん（付属部材、かん）、１３Ｈ…裏蓋（付属部材）、１５Ａ…第１バンド（付属部材、バンド）、３０，３０Ｂ〜３０Ｉ…バイパス部材、４０…充電装置、１９，５１…引き通しバンド（付属部材）、５２…ジャケットバンド、５２Ａ…本体収容部（付属部材）、５２Ｂ…第１バンド（付属バンド）、５２Ｃ…第２バンド（付属バンド）、５３Ａ…第１バンド、５３Ｂ…第２バンド（付属部材、バンド）、５４…遊革（付属部材）、６１Ａ…被連結バンド、６１Ｂ…連結バンド、６２…中留（付属部材）、６３Ａ…第１駒連結バンド（付属部材、駒連結バンド）、６３Ｂ…第２駒連結バンド（付属部材、駒連結バンド）、９０…加飾部材（付属部材）
【図１】
0006343064.tif 000002
【図２】
0006343064.tif 000003
【図３】
0006343064.tif 000004
【図４】
0006343064.tif 000005
【図５】
0006343064.tif 000006
【図６】
0006343064.tif 000007
【図７】
0006343064.tif 000008
【図８】
0006343064.tif 000009
【図９】
0006343064.tif 000010
【図１０】
0006343064.tif 000011
【図１１】
0006343064.tif 000012
【図１２】
0006343064.tif 000013
【図１３】
0006343064.tif 000014
【図１４】
0006343064.tif 000015
【図１５】
0006343064.tif 000016